(57)【要約】【課題】  周囲環境光に起因するインタラクティブ機能使用時の誤動作を防止するとともに長時間使用することを可能にしたインタラクティブ用の電子ペンを提供すること。【解決手段】  所定波長の光を発光する光源と、該光源の出力を制御する制御部と、該所定波長の光量を検出する光量検出部と、を備えた投射型表示装置の発光装置において、該制御部は該光量検出部の検出結果に応じて該光源の出力を調整することを特徴とする。【選択図】  図１
2020204633.tif 000002
【特許請求の範囲】
【請求項１】
所定波長の光を発光する光源と、
該光源の出力を制御する制御部と、
該所定波長の光量を検出する光量検出部と、
を備えた投射型表示装置の発光装置において、
該制御部は該光量検出部の検出結果に応じて該光源の出力を調整することを特徴とする投射型表示装置の発光装置。
【請求項２】
該制御部は該光量検出部の検出結果が所定の閾値よりも大きい場合に該制御部は該光源の出力を増大させることを特徴とする請求項１に記載の投射型表示装置の発光装置。
【請求項３】
該制御部は該光量検出部の検出結果に対応した該光源を駆動する閾値を複数備え、該光量検出部の検出結果に応じて該光源を駆動する電流値を変動させることを特徴とする請求項１に記載の投射型表示装置の発光装置。
【請求項４】
該投射型表示装置は該所定波長の光を撮影する撮影手段を備え、該発光装置はインタラクティブ入力を行う電子ペンであることを特徴とする請求項１乃至請求項３の何れか一項に記載の投射型表示装置の発光装置。
【請求項５】
該閾値を任意に切替える閾値切替部を有することを特徴とする請求項１乃至請求項４の何れか一項に記載の投射型表示装置の発光装置。
【請求項６】
該投射型表示装置は所定波長の光を撮影する撮影手段を備え、該発光装置は被投射面に対して該所定波長の光を照射する不可視光照射モジュールであることを特徴とする請求項１乃至請求項３の何れか一項に記載の投射型表示装置の発光装置。
【請求項７】
該光源を複数備え、該光量検出部の検出結果が所定の閾値よりも大きい場合に該複数の光源のうち点灯していない光源を点灯させることを特徴とする請求項１に記載の投射型表示装置の発光装置。
【発明の詳細な説明】
【技術分野】
【０００１】
本発明は、投射型表示装置に関し、特にインタラクティブ機能を備えた投射型表示装置に関する。
【背景技術】
【０００２】
投射画像に電子ペンや指で直接文字などを書き込むインタラクティブ機能を搭載したプロジェクタが知られている。インタラクティブ機能はプロジェクタ本体にカメラを搭載し、カメラで撮影された情報を投射画像に重ね合わせて表示するように構成されている。特にプロジェクタに搭載されるカメラとしては赤外カメラなどの不可視光を撮影するものが用いられている。電子ペンの先端に赤外光発光素子を取り付けて赤外カメラによって読み取ることでその軌跡を投射画像に重畳し、あたかも投射画像に書き込みを行っているように表示するものである。
【０００３】
このときスクリーン近傍に太陽光や白熱灯などの赤外波長を含む外光があたるような設置環境では、赤外光が外光に埋もれてしまい、ユーザによる指示操作が正常に読み取れずに誤動作を起こすことがある。また電子ペンは乾電池などのバッテリーで動作することが一般的であり、使用時の消費電力を低減し、バッテリーの交換頻度を抑えて長時間利用したいという要望がある。
【０００４】
特許文献１では、最大輝度時の投射画像光量がポインティング光の光量よりも低い場合は、ポインティング光の光量閾値を設定する。そして、最大輝度時の投射画像光量がポインティング光の光量よりも高い場合は、ポインティング光の光量が最大輝度時の投射画像光量よりも相対的に大きくなるようなガイド画像を表示するという構成が開示されている。
【先行技術文献】
【特許文献】
【０００５】
【特許文献１】特開２０１２―１４５６４６号公報
【発明の概要】
【発明が解決しようとする課題】
【０００６】
しかしながら、上記の特許文献１に開示された従来技術では、ガイド画像に表示されるのは光源の出力を低下させたりプロジェクタの設置位置を遠ざけたり、電子ペンの電池交換を行うよう促すといった指示である。光源の出力を低下させると肝心の投射画像が見え辛くなる虞がある。プロジェクタの設置位置を遠ざけると所望の投射サイズが得られなかったり、設置スペースが制約されたりする可能性がある。電子ペンの電池交換に対しては電池交換作業の間はユーザーがインタラクティブ操作を行えない。また、これら様々なガイド画像の指示に従うためにはユーザーによる作業が必要となり、煩わしい。
【０００７】
そこで、本発明の目的は、周囲環境光に起因するインタラクティブ機能使用時の誤動作を防止するとともに長時間使用することを可能にしたインタラクティブ用の電子ペンを提供することにある。
【課題を解決するための手段】
【０００８】
上記の目的を達成するために、本発明に係る投射型表示装置の発光装置は、
所定波長の光を発光する光源と、
該光源の出力を制御する制御部と、
該所定波長の光量を検出する光量検出部と、
を備えた投射型表示装置の発光装置において、
該制御部は該光量検出部の検出結果に応じて該光源の出力を調整することを特徴とする。
【発明の効果】
【０００９】
本発明によれば、周囲環境光に起因するインタラクティブ機能使用時の誤動作を防止するとともに長時間使用することを可能にしたインタラクティブ用の電子ペンの提供を実現できる。
【図面の簡単な説明】
【００１０】
【図１】第一の実施例におけるプロジェクタ１００の構成を示すブロック図
【図２】第一の実施例における電子ペン３００の概略図
【図３】第一の実施例における電子ペン３００の構成を示すブロック図
【図４】第一の実施例における電子ペン３００の動作を示すフローチャート
【図５】第一の実施例における光センサ３０２３による光量検出結果と赤外線ＬＥＤ３０１１の駆動電流
【図６】第一の実施例の変形例における電子ペン３００の動作を示すフローチャート
【図７】第一の実施例の変形例における光センサ３０２３による光量検出結果と赤外線ＬＥＤ３０１１の駆動電流
【図８】第二の実施例の変形例における電子ペン３００の概略図
【図９】第三の実施例におけるプロジェクタ１００の構成を示すブロック図
【図１０】第三の実施例における赤外レーザーモジュール８００の構成を示すブロック図
【図１１】第三の実施例における赤外レーザーモジュール８００の動作を示すフローチャート
【図１２】第三の実施例における光センサ８０４による光量検出結果とレーザーダイオード８０１の駆動電流
【発明を実施するための形態】
【００１１】
以下、本発明を実施するための形態について、図面を参照しながら詳細に説明する。
【実施例１】
【００１２】
図１、図２および図３を用いて、本実施例に関るプロジェクタの構成とインタラクティブ機能について説明する。
【００１３】
図１には、本実施例に関るプロジェクタ１００の構成を示している。
【００１４】
プロジェクタ１００は、画像投射部２００、電子ペン３００、撮像装置４００および画像処理部５００から構成される。また、プロジェクタ１００からの投射画像はスクリーンＳＣに投射される。電子ペン３００は後述するインタラクティブ機能実行時にユーザによる指示操作の際に使用する。また、ＰＣ７００からはプロジェクタに入力される画像情報が供給される。
【００１５】
画像投射部２００は光源２０１、光源駆動部２０２、パネル２０３、パネル駆動部２０４および投射レンズ２０５を備える。光源駆動部２０２は光源２０１の駆動を制御する。パネル駆動部２０４は後述する表示制御部５０６が出力する画像情報に基づき、パネル２０３を駆動する駆動信号を生成する。パネル２０３により変調された光は投射レンズ２０５からスクリーンＳＣに向けて投射される。
【００１６】
撮像装置４００は、レンズ４０１と撮像素子４０２から成る。レンズ４０１は電子ペン３００からの所定波長の光を撮像素子４０２に結像する。撮像素子４０２はＣＣＤやＣＭＯＳセンサなどのイメージセンサである。また、撮像装置４００が撮影する領域には少なくとも投射画像が含まれるように構成される。
【００１７】
画像処理部５００は座標算出部５０１、軌跡情報識別部５０２、軌跡画像生成部５０３、重畳画像作成部５０４、画像情報入力部５０５および表示制御部５０６を備える。
【００１８】
座標算出部５０１はキャリブレーション動作を実行した際に、投射レンズ２０５が投射する画像における位置と、撮像装置４００が撮影する撮影画像データ上の位置とを対応付ける。対応付けは、撮影画像データ上の座標と投射画像上の座標とを１対１で対応付けるテーブルであってもよいし、撮影画像データ上の座標を投射画像上の座標に変換する関数であってもよい。
【００１９】
軌跡情報識別部５０２は撮像装置４００によって撮影された投射画面上の電子ペン３００の軌跡情報を軌跡画像生成部５０３に出力する。より具体的には、電子ペン３００から発光した赤外光は撮像素子４０２に結像し、この赤外光撮影データを電子ペン３００の軌跡情報として軌跡画像生成部５０３に送付する。
【００２０】
軌跡画像生成部５０３では座標算出部５０１で算出された投射画像の位置情報と軌跡情報識別部５０２から出力された電子ペン３００の軌跡情報から、投射画像に対応付けられた電子ペンの軌跡画像を生成する。
【００２１】
画像情報入力部５０５にはＰＣ７００からの画像が入力され、画像情報入力部５０５は重畳画像作成部５０４にこれを入力する。
【００２２】
重畳画像作成部５０４は軌跡画像生成部５０３から入力された電子ペン３００の軌跡画像と、画像情報入力部５０５から入力されたＰＣ７００からの画像を重畳し、表示制御部５０６に出力する。
【００２３】
表示制御部５０６は重畳画像作成部５０４で作成された重畳画像を画像投射部２００に入力する。
【００２４】
図２に示すように、電子ペン３００は先端部３０１と本体部３０２から構成される。図２（ａ）は電子ペン３００がオフの状態であり、図２（ｂ）は電子ペン３００がオンの状態である。
【００２５】
先端部３０１は略円錐形状であり、本体部３０２は略円筒形状である。ユーザが電子ペン３００を持つ際には本体部３０２を持つように構成される。先端部３０１が押圧されると図２（ｂ）に示したように先端部３０１が矢印の方向に移動し、オン状態となる。そして、電子ペン３００の押圧が解除されると先端部３０１は図（ａ）の状態に戻り、オフ状態となる。先端部３０１は本体部３０２に対して不図示のばねなどの弾性部材によってチャージされており、ユーザーによる先端部３０１の押圧が解除されると、この弾性部材による復元力によって図２（ａ）のオフ状態へと復元する。
【００２６】
図３は電子ペン３００の構成を示すブロック図である。
【００２７】
先端部３０１は赤外線ＬＥＤ３０１１とスイッチ３０１２から構成される。また、本体部３０２は電流ドライバ３０２１、ＣＰＵ３０２２、光センサ３０２３から構成される。赤外線ＬＥＤ３０１１は所定波長（例えば８５０ｎｍ）の赤外光を発光するＬＥＤ素子である。スイッチ３０１２は図２（ａ）に示した先端部３０１の位置によって赤外線ＬＥＤ３０１１のオン／オフの状態を切り替える。電流ドライバ３０２１は赤外線ＬＥＤ３０１１を駆動するための所望の電流を制御する。光センサ３０２３は電子ペン３００が指示するスクリーンＳＣ近傍の明るさを検知する光量センサであり、赤外線ＬＥＤ３０１１が発光する波長（８５０ｎｍ）に対応した波長の光量を検知する。ＣＰＵ３０２２は光センサ３０２３が検知した所定波長の光量と予め設定された明るさの閾値を比較し、後述する所定の条件によって赤外線ＬＥＤ３０１１に印加する電流値を決定する。
【００２８】
次に図４および図５を用いて、本実施例における電子ペン３００の動作について説明する。
【００２９】
図４は電子ペン３００の動作を示すフローチャートである。図５（ａ）は光センサ３０２３の光量検出結果、図５（ｂ）は電流ドライバ３０２１による赤外線ＬＥＤ３０１１の駆動電流をそれぞれ示す。
【００３０】
電子ペン３００は先端部３０１が押圧されてオン状態となると（Ｓ１０２）、光センサ３０２３によって先端部３０１近傍の明るさ測定を行う（Ｓ１０３）。このときのＣＰＵ３０２２において光センサ３０２３の検出結果が予め設定された明るさの閾値（ＢＴ）以下であると判定された場合には（Ｓ１０４）、赤外線ＬＥＤ３０１１に印加する電流値はＩＬｏｗ  から変更しない（Ｓ１０６）。一方でＣＰＵ３０２２において光センサ３０２３の検出結果が、予め設定設定された明るさの閾値ＢＴ以上であると判定された場合には（Ｓ１０４）、赤外線ＬＥＤ３０１１に印加する電流値はＩｈｉｇｈに変更される（Ｓ１０５）。
【００３１】
図５（ａ）、（ｂ）を用いて更に詳細に説明する。
【００３２】
図５（ａ）は光センサ３０２３の光量検出結果であり、縦軸が光量、横軸が時間を示している。横軸を時間としたのは電子ペン３００によって指示される位置の光量が、スクリーンＳＣ上の指示位置が異なる場合には場所によって検出光量が異なり、また、スクリーンＳＣ上の指示位置が同じであっても時間経過によって検出光量が変化するためである。また、ＢＴは明るさの閾値である。図５（ｂ）は電流ドライバ３０２１による赤外線ＬＥＤ３０１１の駆動電流であり、縦軸が駆動電流値、横軸が時間を示している。ここで図５（ａ）、（ｂ）において時間ｔ０〜ｔ６は同一の記号を用いる限り、図５（ａ）および（ｂ）で同一の時間を示すものである。
【００３３】
図５（ａ）において、光量検出結果が明るさの閾値ＢＴを下回るｔ０〜ｔ１、ｔ２〜ｔ５では図５（ｂ）に示すように赤外線ＬＥＤ３０１１の駆動電流がＩＬｏｗとなるようにＣＰＵ３０２２は電流ドライバ３０２１を制御する。一方で、図５（ａ）において、光量検出結果が明るさの閾値ＢＴを上回るｔ１〜ｔ２、ｔ５〜ｔ６では図５（ｂ）に示すように赤外線ＬＥＤ３０１１の駆動電流がＩｈｉｇｈとなるようにＣＰＵ３０２２は電流ドライバ３０２１を制御する。なお、Ｉｈｉｇｈは赤外線ＬＥＤ３０１１に規定される絶対最大定格以下の電流値である。
【００３４】
このような構成においては、以下のような効果がある。
【００３５】
プロジェクタ１００が設置される環境によって、スクリーンＳＣ上には太陽光や白熱灯などの赤外成分を含む光が照射されることがある。このとき電子ペン３００が指示する位置においてこのような赤外成分を含む光が外乱光となり、赤外線ＬＥＤ３０１１から発光される赤外光の位置を正確に読み取ることができない。本実施形態によれば、光センサ３０２３の光量検出結果に基づき、外乱光に含まれる赤外光成分が所定の閾値を上回る場合に、赤外線ＬＥＤ３０１１に印加する電流値を増大させるため、赤外線ＬＥＤ３０１１から照射される赤外光の光度が増大する。そのため、外乱光によって先端部３０１の軌跡が正確に識別できなくなるという問題を防止することができる。
【００３６】
さらに、赤外線ＬＥＤ３０１１に印加する駆動電流は、外乱光の光量が所定の閾値を超えた場合にのみ増大させる構成であり、いたずらに電力を消費する必要がない。そのため乾電池などのバッテリーで駆動する電子ペン３００の消費電力を低減し、長時間使用することが可能となる。
【００３７】
以上、第一の実施例について説明したが、本実施例はこの形態に限定されず、その要旨の範囲内で種々の変形及び変更が可能である。例えば、図６には第一の実施例の変形例としてのフローチャート、図７（ａ）、（ｂ）には光センサ３０２３の光量検出結果、電流ドライバ３０２１による赤外線ＬＥＤ３０１１の駆動電流をそれぞれ示す。この変形例は請求項３に対応する。
【００３８】
すなわち、ＣＰＵ３０２２において光センサ３０２３の検出結果が予め設定された第一の明るさの閾値（ＢＴ１）以下であると判定された場合には（Ｓ２０４）赤外線ＬＥＤ３０１１に印加する電流値はＩＬｏｗから変更しない（Ｓ２０６）。一方でＣＰＵ３０２２において光センサ３０２３の検出結果が、予め設定された明るさの閾値ＢＴ１以上、ＢＴ２以下であると判定された場合には（Ｓ２０４、Ｓ２０７）、赤外線ＬＥＤ３０１１に印加する電流値はＩＭｉｄに変更される（Ｓ２０８）。そしてＣＰＵ３０２２において光センサ３０２３の検出結果が、予め設定設定された明るさの閾値ＢＴ２以上であると判定された場合には（Ｓ２０７）、赤外線ＬＥＤ３０１１に印加する電流値はＩｈｉｇｈに変更される（Ｓ２０９）。
【００３９】
図７（ａ）において、光量検出結果が明るさの閾値ＢＴ１を下回るｔ０〜ｔ１、ｔ２〜ｔ５では図７（ｂ）に示すように赤外線ＬＥＤ３０１１の駆動電流がＩＬｏｗとなるようにＣＰＵ３０２２は電流ドライバ３０２１を制御する。一方で、図７（ａ）において、光量検出結果が明るさの閾値ＢＴ１を上回り、ＢＴ２を下回るｔ５〜ｔ６では図５（ｂ）に示すように赤外線ＬＥＤ３０１１の駆動電流がＩＭｉｄとなるようにＣＰＵ３０２２は電流ドライバ３０２１を制御する。そして、図７（ａ）において、光量検出結果が明るさの閾値ＢＴ２を上回るｔ１〜ｔ２では図７（ｂ）に示すように赤外線ＬＥＤ３０１１の駆動電流がＩｈｉｇｈとなるようにＣＰＵ３０２２は電流ドライバ３０２１を制御する。
【００４０】
以上のように、この第一の実施例の変形例ではＣＰＵ３０２２において判定する光センサ３０２３の閾値は複数あっても良く、それに応じた電流値の設定値も複数ある構成でも良い。このように複数の閾値に対応する電流値の設定値を備えることで、より外乱光の光量に応じた適切な電子ペン３００の発光光度の設定が可能となり、電子ペン３００の外乱光による誤動作をさらに防止することができる。
【実施例２】
【００４１】
次に図８（ａ）、（ｂ）を用いて本発明の第二の実施例について説明する。
【００４２】
本実施例は請求項５に対応する。図８（ａ）は電子ペン３００を示す。電子ペン３００は先端部３０１、本体部３０２、スライドスイッチ３０３から構成される。先端部３０１および本体部３０２の基本構成は前述と同様であり、ここでは記載は省略する。図８（ｂ）はスライドスイッチ３０３の拡大図であり、切り欠き部３０３１、スライドレバー３０３２から構成され、切り欠き部３０３１内をスライドレバー３０３２が移動可能に配置される。
【００４３】
ユーザーはスライドレバー３０３２をスライド操作することにより、先端部３０１に内蔵される赤外線ＬＥＤ３０１１に印加される駆動電流の閾値を任意に設定することが可能である。すなわち「Ａｕｔｏ」が選択されたときには図４もしくは図６のフローチャートに従い光センサ３０２３の検出結果に基づいて赤外線ＬＥＤ３０１１に印加する電流を駆動制御する。「Ｈｉｇｈ」が選択された時には図７（ｂ）に示す駆動電流Ｉｈｉｇｈを閾値として赤外線ＬＥＤ３０１１に印加する駆動電流を制御する。「Ｍｉｄ」が選択された時には図７（ｂ）に示す駆動電流ＩＭｉｄを閾値として赤外線ＬＥＤ３０１１に印加する駆動電流を制御する。「Ｌｏｗ」が選択された時には図７（ｂ）に示す駆動電流ＩＬｏｗを閾値として赤外線ＬＥＤ３０１１に印加する駆動電流を制御する。そして「Ｏｆｆ」が選択された時には赤外線ＬＥＤ３０１１への電流の印加を一切停止し、先端部３０１が押圧された状態であっても赤外線ＬＥＤ３０１１には通電されない。
【００４４】
このような構成によれば、ユーザーは光センサ３０２３の検出結果によって自動的に閾値が設定される状態と、周囲環境光の状態によらず閾値を固定して設定する状態を選択することが可能となる。周囲環境光の状態によらず閾値を固定して設定する場合にも、その強弱を選択することができる。従って、消費電力よりも外光による誤動作を極力解消したい場合には「Ｈｉｇｈ」を、外光による誤動作よりも消費電力の低減を優先する場合には「Ｌｏｗ」を、両方を両立したい場合には「Ｍｉｄ」をそれぞれ選択することで、ユーザの所望の設定が可能となる。また、電子ペン３００を持ち運ぶ際に先端部３０１が誤って押圧された状態になると無用な電力消費を招くため、「Ｏｆｆ」を選択することでこれを防止することが可能となる。
【００４５】
なお、この変形例では任意の閾値を設定するためにスライドスイッチを用いる構成としたが、回転式のボリュームスイッチなどのその他のスイッチで構成されていても良い。また、ユーザが選択可能な閾値の設定は「Ｈｉｇｈ」「Ｍｉｄ」「Ｌｏｗ」に限らず、さらに細かく分類されていても良い。
【実施例３】
【００４６】
図９および図１０を用いて、本発明の第三の実施例に関るプロジェクタの構成とインタラクティブ機能について説明する。なお、ここでは第一の実施例との差異部分のみ記載し、同一の構成部分については説明を省略する。また、本実施例は請求項６に対応する。
【００４７】
図９に示すように本実施例におけるプロジェクタ１００は、インタラクティブ機能実行時のユーザによる指示操作の際の発光装置として、電子ペン３００の代わりに赤外レーザーモジュール８００を用いる。
【００４８】
スクリーンＳＣの近傍には赤外レーザーモジュール８００が取り付けられている。赤外レーザーモジュール８００は所定波長の赤外光をスクリーンＳＣに対して略平行に照射する。このとき赤外光が照射される領域は少なくとも投射画像が含まれるように構成される。また、撮像装置４００が撮影する領域には少なくとも投射画像が含まれるように構成される。赤外レーザーモジュール８００から照射された赤外光はユーザーの指やポインタに反射し、その反射光は撮像装置４００で撮影される。
【００４９】
図１０に示すように赤外レーザーモジュール８００は、レーザーダイオード８０１、電流ドライバ８０２、ＣＰＵ８０３および光センサ８０４から構成される。
【００５０】
レーザーダイオード８０１は所定波長（例えば８５０ｎｍ）の赤外光を発光するレーザーダイオードである。電流ドライバ８０２はレーザーダイオード８０１を駆動するための所望の電流を制御する。光センサ８０４はスクリーンＳＣ近傍の明るさを検知する光量センサであり、レーザーダイオード８０１が発光する波長に対応した波長の光量を検知する。尚、赤外レーザーモジュール８００は乾電池などのバッテリーで駆動する構成でも良いし、ＵＳＢケーブルなどの接続ケーブルを介してプロジェクタ１００からの給電によって駆動する構成でも良い。ＣＰＵ８０３は光センサ８０４が検知した所定波長の光量と予め設定された明るさの閾値を比較し、後述する所定の条件によってレーザーダイオード８０１に印加する電流値を決定する。
【００５１】
次に図１１および図１２を用いて、本実施例における赤外レーザーモジュール８００の動作について説明する。
【００５２】
図１１は赤外レーザーモジュール８００の動作を示すフローチャートである。図１２（ａ）は光センサ８０４の光量検出結果、図５（ｂ）は電流ドライバ８０２によるレーザーダイオード８０１の駆動電流をそれぞれ示す。
【００５３】
赤外レーザーモジュール８００は通電が開始される（Ｓ３０２）と光センサ８０４によってスクリーンＳＣ近傍の明るさ測定を行う（Ｓ３０３）。このときのＣＰＵ８０３において光センサ８０４の検出結果が予め設定された明るさの閾値ＢＴ以下であると判定された場合には（３１０４）、レーザーダイオード８０１に印加する電流値はＩＬｏｗ  から変更しない（Ｓ３０６）。一方でＣＰＵ８０３において光センサ８０４の検出結果が、予め設定設定された明るさの閾値ＢＴ以上であると判定された場合には（Ｓ３０４）、レーザーダイオード８０１に印加する電流値はＩｈｉｇｈに変更される（Ｓ３０５）。
【００５４】
図１２（ａ）、（ｂ）を用いて更に詳細に説明する。
【００５５】
図１２（ａ）は光センサ８０４の光量検出結果であり、縦軸が光量、横軸が時間を示している。ここで横軸を時間としたのは赤外レーザーモジュール８００によって照射された赤外光がユーザーの指やポインタによって反射される位置の光量は、時間経過によって変化するためである。図１２（ｂ）は電流ドライバ８０２によるレーザーダイオード８０１の駆動電流であり、縦軸が駆動電流値、横軸が時間を示している。ここで図１２（ａ）、（ｂ）において時間ｔ０〜ｔ６は同一の記号を用いる限り、図１２（ａ）および（ｂ）で同一の時間を示すものである。
【００５６】
図１２（ａ）において、光量検出結果が明るさの閾値ＢＴを下回るｔ０〜ｔ１、ｔ２〜ｔ５では図１２（ｂ）に示すようにレーザーダイオード８０１の駆動電流がＩＬｏｗとなるようにＣＰＵ８０３は電流ドライバ８０２を制御する。一方で、図１２（ａ）において、光量検出結果が明るさの閾値ＢＴを上回るｔ１〜ｔ２、ｔ５〜ｔ６では図１２（ｂ）に示すようにレーザーダイオード８０１の駆動電流がＩｈｉｇｈとなるようにＣＰＵ８０３は電流ドライバ８０２を制御する。なお、Ｉｈｉｇｈはレーザーダイオード８０１に規定される絶対最大定格以下の電流値である。
【００５７】
このような構成においては、以下のような効果がある。
【００５８】
プロジェクタ１００が設置される環境によって、スクリーンＳＣ上には太陽光や白熱灯などの赤外成分を含む光が照射されることがある。このとき赤外レーザーモジュール８００から照射された赤外光を反射する位置において、このような赤外成分を含む光が外乱光となり、ユーザが指示した位置を正確に読み取ることができない。本実施形態によれば、光センサ８０４の光量検出結果に基づき、外乱光に含まれる赤外光成分が所定の閾値を上回る場合に、レーザーダイオード８０１に印加する電流値を増大させるため、レーザーダイオード８０１から照射される赤外光の光度が増大する。そのため、外乱光によってユーザによる指示操作位置の軌跡が正確に識別できなくなるという問題を防止することができる。
【００５９】
さらに、レーザーダイオード８０１に印加する駆動電流は、外乱光の光量が所定の閾値を超えた場合にのみ増大させる構成であり、いたずらに電力を消費する必要がない。そのため赤外レーザーモジュール８００が乾電池などのバッテリーで駆動する場合には、消費電力を低減し、長時間使用することが可能となる。また、赤外レーザーモジュール８００がプロジェクタ１００からの電源供給により駆動する場合には、プロジェクタ１００で消費される電力をいたずらに増大することを防止することが可能となる。
【００６０】
以上、本発明の好ましい実施形態について説明したが、本発明はこれらの実施形態に限定されず、その要旨の範囲内で種々の変形及び変更が可能である。
【符号の説明】
【００６１】
１００  プロジェクタ、２００  画像投射部、２０１  光源、
２０２  光源駆動部、２０３  パネル、２０４  パネル駆動部、
２０５  投射レンズ、３００  電子ペン、３０１  先端部、
３０２  本体部、３０１１  赤外線ＬＥＤ、３０１２  スイッチ、
３０２１  電流ドライバ、３０２２  ＣＰＵ、３０２３  光センサ、
３０３  スライドスイッチ、３０３１  切り欠き部、
３０３２  スライドレバー、４００  撮像装置、４０１  レンズ、
４０２  撮像素子、８００  赤外レーザーモジュール、
８０１  レーザーダイオード、８０２  電流ドライバ、８０３  ＣＰＵ、
８０４  光センサ
【図１】
2020204633.tif 000003
【図２】
2020204633.tif 000004
【図３】
2020204633.tif 000005
【図４】
2020204633.tif 000006
【図５】
2020204633.tif 000007
【図６】
2020204633.tif 000008
【図７】
2020204633.tif 000009
【図８】
2020204633.tif 000010
【図９】
2020204633.tif 000011
【図１０】
2020204633.tif 000012
【図１１】
2020204633.tif 000013
【図１２】
2020204633.tif 000014